(57)【特許請求の範囲】
【請求項１】
外部電源から供給される直流電力を、二次電池と、該二次電池を内蔵あるいは着脱可能に装着する電気機器の内部回路と、に供給する充電回路であって、
前記外部電源と前記二次電池との間の電気経路上に設置され、前記二次電池に対し所定の電圧を出力する第１のＤＣ−ＤＣコンバータと、
前記外部電源と前記内部回路との間の電気経路上に設置され、前記内部回路に対し前記第１のＤＣ−ＤＣコンバータの出力電圧とは異なった電圧を出力する第２のＤＣ−ＤＣコンバータと、
前記外部電源と前記第２のＤＣ−ＤＣコンバータの入力端との間の電気経路上に設置される第１のスイッチと、
前記二次電池と前記第２のＤＣ−ＤＣコンバータの入力端との間の電気経路上に設置される第２のスイッチと、
前記二次電池と前記第２のＤＣ−ＤＣコンバータの出力端との間の電気経路上に設置される第３のスイッチと、
前記第１のスイッチと前記第２のスイッチと前記第３のスイッチの開閉を制御する制御部と、
を備え、
前記第２のＤＣ−ＤＣコンバータは、前記二次電池の出力電圧と合致するように、前記第２のＤＣ−ＤＣコンバータの出力電圧を変更する手段、を備え、
前記制御部は、
前記第１のスイッチを閉、前記第２のスイッチを開、の状態とすることによって、前記外部電源からの電力を前記第２のＤＣ−ＤＣコンバータに入力する手段と、
前記第１のスイッチを開、前記第２のスイッチを閉、の状態とすることによって、前記二次電池からの電力を前記第２のＤＣ−ＤＣコンバータに入力する手段と、
前記第１のスイッチを閉状態にして、前記第２のＤＣ−ＤＣコンバータの出力電圧と前記二次電池の出力電圧との電位差が所定範囲内であるか否かを判別する手段と、
前記電位差が所定範囲内であると判別した場合に、前記第２のスイッチを開、前記第３のスイッチを閉、の状態とすることによって、前記外部電源と前記二次電池の双方から、前記内部回路に電力を供給する手段と、を備える、
ことを特徴とする充電回路。
【請求項２】
前記第１のＤＣ−ＤＣコンバータは、
前記制御部の制御に従って、変圧動作を停止する手段と、
変圧動作を停止した場合に、内部で入力端から出力端への電気経路を切断する手段と、を備え、
前記制御部は、
前記二次電池の出力電圧が所定の閾値以上であるか否かを判別する手段と、
前記二次電池の出力電圧が所定の閾値以上であると判別した場合に、前記第１のＤＣ−ＤＣコンバータの変圧動作を停止し、さらに、前記第２のスイッチを開、前記第３のスイッチを開、の状態とすることによって、前記二次電池への電力の供給を停止する手段と、を備える、
ことを特徴とする請求項１に記載の充電回路。
【請求項３】
請求項１又は２に記載の充電回路、を備える、
ことを特徴とする携帯機器。
【発明の詳細な説明】
【技術分野】
【０００１】
本発明は、充電回路、及び携帯機器に関する。
【背景技術】
【０００２】
一般に、携帯電話やＰＤＡ（Ｐｅｒｓｏｎａｌ  Ｄｉｇｉｔａｌ  Ａｓｓｉｓｔａｎｔ：携帯情報端末）等の携帯機器には、リチウムイオン電池等の二次電池を装着できるようになっている。携帯機器は、二次電池を充電するための充電回路を内蔵していて、充電回路は、ＡＣアダプタ等の外部電源が接続されると、二次電池にも携帯機器の内部回路にも電力を供給する。特許文献１には、二次電池と電気機器が並列に接続され、二次電池と電気機器の双方に同じ電圧を印加する電源装置が開示されている。
【先行技術文献】
【特許文献】
【０００３】
【特許文献１】特開２００７−２７４７４８号公報
【発明の概要】
【発明が解決しようとする課題】
【０００４】
二次電池の出力電圧は、満充電時をピークに徐々に低下する。二次電池を満充電状態に戻すには、外部から満充電時の電圧（以下、「満充電電圧」という）を印加する必要がある。
【０００５】
通常、携帯機器の内部回路の動作電圧は、二次電池の電圧低下を考慮して、満充電電圧より低く設定される。そのため、特許文献１の装置と同様に、二次電池にも内部回路にも同じ満充電電圧を印加した場合、内部回路は、動作電圧を得るために、内部で電圧を降下させる必要が生じる。降圧動作には電力損失が伴うため、内部回路の電力効率を低下させる。
【０００６】
本発明はこのような問題に鑑みてなされたものであり、内部回路の電力利用効率を高くすることができる充電回路及び携帯機器を提供することを目的とする。
【課題を解決するための手段】
【０００７】
上記目的を達成するため、本発明の第１の観点にかかる充電回路は、
外部電源から供給される直流電力を、二次電池と、該二次電池を内蔵あるいは着脱可能に装着する電気機器の内部回路と、に供給する充電回路であって、
前記外部電源と前記二次電池との間の電気経路上に設置され、前記二次電池に対し所定の電圧を出力する第１のＤＣ−ＤＣコンバータと、
前記外部電源と前記内部回路との間の電気経路上に設置され、前記内部回路に対し前記第１のＤＣ−ＤＣコンバータの出力電圧とは異なった電圧を出力する第２のＤＣ−ＤＣコンバータと、
前記外部電源と前記第２のＤＣ−ＤＣコンバータの入力端との間の電気経路上に設置される第１のスイッチと、
前記二次電池と前記第２のＤＣ−ＤＣコンバータの入力端との間の電気経路上に設置される第２のスイッチと、
前記二次電池と前記第２のＤＣ−ＤＣコンバータの出力端との間の電気経路上に設置される第３のスイッチと、
前記第１のスイッチと前記第２のスイッチと前記第３のスイッチの開閉を制御する制御部と、
を備え、
前記第２のＤＣ−ＤＣコンバータは、前記二次電池の出力電圧と合致するように、前記第２のＤＣ−ＤＣコンバータの出力電圧を変更する手段、を備え、
前記制御部は、
前記第１のスイッチを閉、前記第２のスイッチを開、の状態とすることによって、前記外部電源からの電力を前記第２のＤＣ−ＤＣコンバータに入力する手段と、
前記第１のスイッチを開、前記第２のスイッチを閉、の状態とすることによって、前記二次電池からの電力を前記第２のＤＣ−ＤＣコンバータに入力する手段と、
前記第１のスイッチを閉状態にして、前記第２のＤＣ−ＤＣコンバータの出力電圧と前記二次電池の出力電圧との電位差が所定範囲内であるか否かを判別する手段と、
前記電位差が所定範囲内であると判別した場合に、前記第２のスイッチを開、前記第３のスイッチを閉、の状態とすることによって、前記外部電源と前記二次電池の双方から、前記内部回路に電力を供給する手段と、を備える
ことを特徴とする。
【０００８】
上記目的を達成するため、本発明の第２の観点にかかる携帯機器は、
第１の観点にかかる充電回路、を備える、
ことを特徴とする。
【発明の効果】
【０００９】
本発明によれば、内部回路の電力利用効率を高くすることが出来る充電回路及び携帯機器を提供できる。
【図面の簡単な説明】
【００１０】
【図１】本発明の実施形態に係る携帯機器の回路・ブロック図である。
【図２】実施形態に係る携帯機器の充電回路の回路・ブロック図である。
【図３】実施形態に係る設定処理のフローチャートである。
【図４】実施形態に係る充電回路が二次電池から内部回路へ電力を供給する様子を示す図である。
【図５】実施形態に係る充電回路が二次電池と外部電源の双方から内部回路へ電力を供給する様子を示す図である。
【図６】実施形態に係る充電回路が内部回路にのみ電力を供給する様子を示す図である。
【図７】実施形態に係る充電回路が内部回路と二次電池の双方に電力を供給する様子を示す図である。
【発明を実施するための形態】
【００１１】
以下、本実施形態の携帯機器について、図面を参照しながら説明する。携帯機器１００は、ＡＣアダプタ等の外部電源２００を着脱可能な携帯端末であり、図１に示すように、内部回路１１０と、二次電池１２０と、充電回路１３０と、から構成される。
【００１２】
二次電池１２０は、リチウムイオン電池等の充電可能な電池パックであり、携帯機器１００に着脱可能な構成になっている。二次電池１２０は、充電時は充電回路１３０によって満充電電圧を印加され、また、放電時は充電回路１３０を介して内部回路１１０に電力を供給する。
【００１３】
内部回路１１０は、プロセッサ等の各種部品から構成され、電話機能やメール機能等、携帯機器１００の各種機能等を実現する。
【００１４】
充電回路１３０は、外部電源２００から供給された直流電力を変圧して二次電池１２０及び内部回路１１０に供給するための回路であり、図２に示すように、接続ポート１３１と、ＤＣ−ＤＣコンバータ１３２と、ＤＣ−ＤＣコンバータ１３３と、スイッチ１３４ａ〜ｃと、電力計１３５と、電圧計１３６と、制御部１３７と、タイマ１３８と、記憶部１３９とから構成される。
【００１５】
接続ポート１３１は、外部電源２００と携帯機器１００とを接続するための接続コネクタ等から構成され、充電回路１３０の内部で、スイッチ１３４ａの一端及びＤＣ−ＤＣコンバータ１３２の一端に接続されている。接続ポート１３１は、外部電源２００から直流電力が入力されると、その電力をＤＣ−ＤＣコンバータ１３２及びＤＣ−ＤＣコンバータ１３３に供給する。また、接続ポート１３１は、充電回路１３０内部で制御部１３７と接続されていて、外部電源２００の接続を検知して制御部１３７に通知する。
【００１６】
ＤＣ−ＤＣコンバータ１３２は、降圧チョッパ回路等の降圧回路から構成され、その入力端（図２に示す“ＩＮ”）は接続ポート１３１とスイッチ１３４ａの一端に、出力端（図２に示す“ＯＵＴ”）は電圧計１３６とスイッチ１３４ｂとスイッチ１３４ｃの一端に接続されている。ＤＣ−ＤＣコンバータ１３２は、入力端から入力された電圧を満充電電圧に変圧して出力端から出力する。また、ＤＣ−ＤＣコンバータ１３２は制御部１３７と接続されていて、制御部１３７の命令に応じて変圧動作を開始／停止するようになっている。なお、ＤＣ−ＤＣコンバータ１３２は、変圧動作停止時、内部で電気経路を切断して入力端から出力端へ電流を通過させないようになっている。
【００１７】
ＤＣ−ＤＣコンバータ１３３は、降圧チョッパ回路等の降圧回路から構成され、入力端（図２に示す“ＩＮ”）は、スイッチ１３４ａ及びスイッチ１３４ｂの一端に、出力端（図２に示す“ＯＵＴ”）は電力計１３５とスイッチ１３４ｃの一端に接続されている。ＤＣ−ＤＣコンバータ１３３は、入力端から入力された電圧を内部回路１１０の動作電圧に変圧して出力端から出力する。また、ＤＣ−ＤＣコンバータ１３３は制御部１３７と接続されていて、制御部１３７の命令に応じて変圧動作を開始／停止するようになっている。なお、ＤＣ−ＤＣコンバータ１３３は、変圧動作停止時は内部で電気経路を切断して入力端から出力端へ電流を通過させないようになっている。また、ＤＣ−ＤＣコンバータ１３３は電圧計１３６とも接続されている。ＤＣ−ＤＣコンバータ１３３は、「フィードバック制御モード」を有していて、制御部１３７によってフィードバック制御モードがＯＮされると、出力電圧が電圧計１３６の計測値と合致するように、内部の回路を制御する。
【００１８】
スイッチ１３４ａ〜ｃは、ＦＥＴ（Ｆｉｅｌｄ  Ｅｆｆｅｃｔ  Ｔｒａｎｓｉｓｔｏｒ）やＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）等のスイッチング素子から構成され、スイッチ１３４ａの一端は接続ポート１３１及びＤＣ−ＤＣコンバータ１３２の入力端に、他端はＤＣ−ＤＣコンバータ１３３の入力端及びスイッチ１３４ｂの一端に接続されている。また、スイッチ１３４ｂの一端は、スイッチ１３４ａの一端及びＤＣ−ＤＣコンバータ１３３の入力端に、他端は、電圧計１３６、ＤＣ−ＤＣコンバータ１３２の出力端、及びスイッチ１３４ｃの一端に接続されている。さらに、スイッチ１３４ｃの一端は、電圧計１３６、ＤＣ−ＤＣコンバータ１３２の出力端、及びスイッチ１３４ｂの一端に、他端は電力計１３５及びＤＣ−ＤＣコンバータ１３３の出力端に接続されている。スイッチ１３４ａ〜ｃは、制御部１３７と接続されていて、それぞれ、制御部１３７の制御に従って、充電回路１３０内部の電気経路を接続／切断するようになっている。
【００１９】
電力計１３５は、計測値をデジタル出力するデジタル電力計から構成され、一端はＤＣ−ＤＣコンバータ１３３の出力端及びスイッチ１３４ｃの一端に、他端は内部回路１１０に接続されている。電力計１３５は、内部回路１１０に出力される電力量を計測して、その結果を、逐次、制御部１３７に送信する。電力計１３５の両端は、電気的に短絡されている。
【００２０】
電圧計１３６は、計測値をデジタル出力するデジタル電圧計から構成され、一端は二次電池１２０に、他端はＤＣ−ＤＣコンバータ１３２の出力端、スイッチ１３４ｂの一端、スイッチ１３４ｃの一端、に接続されている。電圧計１３６は、二次電池１２０の出力電圧を計測して、その結果を、逐次、制御部１３７及びＤＣ−ＤＣコンバータ１３３に送信する。電力計１３５の両端は、電気的に短絡されている。
【００２１】
制御部１３７は、プロセッサ等から構成され、記憶部１３９に格納されているプログラムに従って動作し、後述の「設定処理」を含む種々の動作を実行する。
【００２２】
タイマ１３８は、水晶発振子等から構成され、一定時間毎（例えば１秒毎）に、制御部１３７に対して「設定処理」の起動トリガとなる割込信号を送信する。
【００２３】
記憶部１３９は、ＲＡＭ（Ｒａｎｄｏｍ  Ａｃｃｅｓｓ  Ｍｅｍｏｒｙ）等の記憶装置から構成され、最大供給電力１３９ａや満充電電圧１３９ｂ等の各種データを記憶する。
【００２４】
最大供給電力１３９ａは、外部電源２００が供給可能な電力の最大値であり、予め実験によって求められ、記憶部１３９に格納されている。
【００２５】
満充電電圧１３９ｂは、二次電池１２０を満充電状態にしたときに二次電池１２０から出力される電圧の値であり、予め実験によって求められ、記憶部１３９に格納されている。
【００２６】
次に、このような構成を有する携帯機器１００の動作について説明する。
携帯機器１００に電源が投入されると、タイマ１３８は制御部１３７に対して割込信号の送信を開始する。制御部１３７は、割込信号を受信すると、その度に、図３に示す設定処理を実行する。以下、図３のフローチャートを参照して「設定処理」を説明する。
【００２７】
タイマ１３８から割込信号を受信すると、制御部１３７は、接続ポート１３１から取得した情報を基に、外部電源２００が携帯機器１００に接続されているか否かを判別する（ステップＳ１０１）。
【００２８】
外部電源２００が携帯機器１００に接続されていない場合（ステップＳ１０１：ＮＯ）、制御部１３７は、“スイッチ１３４ａをＯＦＦ”、“スイッチ１３４ｂをＯＮ”、“スイッチ１３４ｃをＯＦＦ”、“ＤＣ−ＤＣコンバータ１３２をＯＦＦ”、“ＤＣ−ＤＣコンバータ１３３をＯＮ”、の状態にする。ＤＣ−ＤＣコンバータ１３３のフィードバック制御モードがＯＮになっている場合はＯＦＦにする（ステップＳ１０２）。これにより、充電回路１３０には、図４に示すように、二次電池１２０と内部回路１１０を接続する電気経路が形成され、二次電池１２０は内部回路１１０に対して電力を供給できる状態になる。電気経路が形成されたら、制御部１３７は「設定処理」を終了する。
【００２９】
外部電源２００が接続されている場合（ステップＳ１０１：ＹＥＳ）、制御部１３７は、電力計１３５から取得した計測値（すなわち、内部回路１１０の消費電力）が所定の閾値以下か否かを判別する（ステップＳ１０３）。なお、閾値は、外部電源２００の最大供給電力１３９ａを基に算出する。例えば、最大供給電力１３９ａに“０．９０”を乗じた値を閾値としてもよい。
【００３０】
計測値が所定の閾値を超えている場合（ステップＳ１０３：ＮＯ）、制御部１３７は、“ＤＣ−ＤＣコンバータ１３２をＯＦＦ”、の状態にし、電圧計１３６が二次電池１２０の電圧を計測できる状態にする。しばらく待って、二次電池１２０の出力が安定したら、制御部１３７は、“スイッチ１３４ａをＯＮ”、“ＤＣ−ＤＣコンバータ１３３をＯＮ”、“ＤＣ−ＤＣコンバータ１３３のフィードバック制御モードをＯＮ”、の状態にして、ＤＣ−ＤＣコンバータ１３３が二次電池１２０の電圧に追従できる状態にする。さらに待って、ＤＣ−ＤＣコンバータ１３３の出力電圧と二次電池１２０の出力電圧が一致したら、制御部１３７は、“スイッチ１３４ｂをＯＦＦ”、“スイッチ１３４ｃをＯＮ”、の状態にする（ステップＳ１０４）。これにより、充電回路１３０には、図５に示すように、外部電源２００と内部回路１１０、及び、二次電池１２０と内部回路１１０とを接続する電気経路が形成され、内部回路１１０は二次電池１２０とＤＣ−ＤＣコンバータ１３３双方から電力が供給される状態になる。電気経路が形成されたら、制御部１３７は「設定処理」を終了する。
【００３１】
電力計１３５の計測値が所定の閾値以下の場合（ステップＳ１０３：ＹＥＳ）、制御部１３７は、“ＤＣ−ＤＣコンバータ１３２をＯＦＦ”にし、二次電池１２０から電力が出力される状態にする。そして、制御部１３７は、電圧計１３６から電圧値を取得し、その電圧値が所定の閾値以下か否かを判別する（ステップＳ１０５）。なお、閾値は、二次電池１２０の満充電電圧１３９ｂを基に算出する。例えば、満充電電圧１３９ｂに“０．９９”を乗じた値を閾値としてもよい。
【００３２】
電圧計１３６の計測値が所定の閾値を超えている場合（ステップＳ１０５：ＮＯ）、制御部１３７は、“スイッチ１３４ａをＯＮ”、“スイッチ１３４ｂをＯＦＦ”、“スイッチ１３４ｃをＯＦＦ、“ＤＣ−ＤＣコンバータ１３２をＯＦＦ”、“ＤＣ−ＤＣコンバータ１３３をＯＮ”、の状態にする。ＤＣ−ＤＣコンバータ１３３のフィードバック制御モードがＯＮになっている場合はＯＦＦにする（ステップＳ１０６）。これにより、充電回路１３０には、図６に示すように、二次電池１２０への充電が停止され、内部回路１１０にのみ電力が供給される電気経路が形成される。電気経路が形成されたら、制御部１３７は「設定処理」を終了する。
【００３３】
計測値が閾値以下の場合（ステップＳ１０５：ＹＥＳ）、制御部１３７は、“スイッチ１３４ａをＯＮ”、“スイッチ１３４ｂをＯＦＦ”、“スイッチ１３４ｃをＯＦＦ、“ＤＣ−ＤＣコンバータ１３２をＯＮ”、“ＤＣ−ＤＣコンバータ１３３をＯＮ”、の状態にする。ＤＣ−ＤＣコンバータ１３３のフィードバック制御モードがＯＮになっている場合はＯＦＦにする（ステップＳ１０７）。これにより、充電回路１３０には、図７に示すように、内部回路１１０及び二次電池１２０の両方に、それぞれ異なった電圧（満充電電圧、動作電圧）を出力するための電気経路が形成される。電気経路が形成されたら、制御部１３７は「設定処理」を終了する。
【００３４】
本実施形態によれば、２つのＤＣ−ＤＣコンバータ（ＤＣ−ＤＣコンバータ１３２、１３３）を備えることによって、内部回路１１０と二次電池１２０にそれぞれ最適な電圧を出力することができる。その結果、内部回路１１０で電圧を降下させる必要がなくなり、内部回路１１０の電力利用効率を高くすることができる。
【００３５】
また、充電回路１３０は、３つのスイッチ（スイッチ１３４ａ〜ｃ）を備えているので、状況に合わせた最適な電力供給経路の選択が可能になる。
【００３６】
例えば、外部電源２００が接続されていないときは、図４（図３：ステップＳ１０２）に示すようにスイッチを制御することによって、二次電池１２０から内部回路１１０へ電力を供給できる。
【００３７】
また、内部回路１１０の消費電力が外部電源２００の最大供給電力１３９ａを超えそうな場合は、図５（図３：ステップＳ１０４）に示すようにスイッチを制御することによって、二次電池１２０と外部電源２００の双方から内部回路１１０へ電力を供給できる。
【００３８】
また、二次電池１２０が満充電状態の場合は、図６（図３：ステップＳ１０６）に示すようにスイッチを制御することによって、満充電状態の二次電池１２０への電圧の印加を抑止できる。
【００３９】
また、上記のいずれでもない場合は、図７（図３：ステップＳ１０７）に示すようにスイッチを制御することによって、外部電源２００から、内部回路１１０と二次電池１２０の両方に電力を供給できる。
【００４０】
なお、上述の実施形態では、二次電池１２０は携帯機器１００に着脱可能であったが、二次電池１２０は携帯機器１００に内蔵されていてもよい。
【００４１】
また、ＤＣ−ＤＣコンバータ１３２、１３３は降圧チョッパ回路等の降圧回路に限られない。ＤＣ−ＤＣコンバータ１３２、１３３は昇圧チョッパ回路等の昇圧回路であってもよい。
【００４２】
また、ＤＣ−ＤＣコンバータ１３３が降圧チョッパ回路や昇圧チョッパ回路等のスイッチングコンバータ（コンバータ内部のスイッチを高速にＯＮ／ＯＦＦすることによって入力電圧を降圧／昇圧する回路）である場合は、フィードバック制御モードは、電圧計１３６の計測電圧に合わせ、スイッチングのデューティー比を適宜変更することによって実現してもよい。
【００４３】
また、ＤＣ−ＤＣコンバータ１３２は、動作停止の際に、内部で入力端から出力端への電気経路を切断したが、ＤＣ−ＤＣコンバータ１３２がスイッチングコンバータである場合は、コンバータ内部のスイッチを開くことによって内部の電気経路を切断してもよい。また、ＤＣ−ＤＣコンバータ１３２の出力端の直後にスイッチを設け、ＤＣ−ＤＣコンバータ１３２の動作停止と同時に、このスイッチを制御部１３７等で制御することによって電気経路を切断してもよい。
【００４４】
上記の実施形態の一部又は全部は、以下の付記のようにも記載され得るが、以下には限られない。
【００４５】
（付記１）
外部電源から供給される直流電力を、二次電池と、該二次電池を内蔵あるいは着脱可能に装着する電気機器の内部回路と、に供給する充電回路であって、
前記外部電源と前記二次電池との間の電気経路上に設置され、前記二次電池に対し所定の電圧を出力する第１のＤＣ−ＤＣコンバータと、
前記外部電源と前記内部回路との間の電気経路上に設置され、前記内部回路に対し前記第１のＤＣ−ＤＣコンバータの出力電圧とは異なった電圧を出力する第２のＤＣ−ＤＣコンバータと、を備える、
ことを特徴とする充電回路。
【００４６】
（付記２）
前記外部電源と前記第２のＤＣ−ＤＣコンバータの入力端との間の電気経路上に設置される第１のスイッチと、
前記二次電池と前記第２のＤＣ−ＤＣコンバータの入力端との間の電気経路上に設置される第２のスイッチと、
前記第１のスイッチ及び前記第２のスイッチの開閉を制御する制御部と、を備え、
前記制御部は、
前記第１のスイッチを閉じ、前記第２のスイッチを開くことによって、前記外部電源からの電力を前記第２のＤＣ−ＤＣコンバータに入力する手段と、
前記第１のスイッチを開き、前記第２のスイッチを閉じる、ことによって、前記二次電池からの電力を前記第２のＤＣ−ＤＣコンバータに入力する手段と、を備える、
ことを特徴とする付記１に記載の充電回路。
【００４７】
（付記３）
前記二次電池と前記第２のＤＣ−ＤＣコンバータの出力端との間の電気経路上に設置される第３のスイッチ、を備え、
前記第２のＤＣ−ＤＣコンバータは、前記二次電池の出力電圧と合致するように、前記第２のＤＣ−ＤＣコンバータの出力電圧を変更する手段、を備え、
前記制御部は、
前記第３のスイッチの開閉を制御する手段と、
前記第２のＤＣ−ＤＣコンバータの出力電圧と前記二次電池の出力電圧との電位差が所定範囲内であるか否かを判別する手段と、
電位差が所定範囲内であると判別した場合に、前記第１のスイッチを閉じ、前記第２のスイッチを開き、前記第３のスイッチを閉じることによって、前記外部電源と前記二次電池の双方から、前記内部回路に電力を供給する手段と、を備える、
ことを特徴とする付記２に記載の充電回路。
【００４８】
（付記４）
前記第１のＤＣ−ＤＣコンバータは、
前記制御部の制御に従って、変圧動作を停止する手段と、
変圧動作を停止した場合に、内部で入力端から出力端への電気経路を切断する手段と、を備え、
前記制御部は、
前記二次電池の出力電圧が所定の閾値以上であるか否かを判別する手段と、
前記二次電池の出力電圧が所定の閾値以上であると判別した場合に、前記第１のＤＣ−ＤＣコンバータの変圧動作を停止し、さらに、前記第２のスイッチを開き、前記第３のスイッチを開くことによって、前記二次電池への電力の供給を停止する手段と、を備える、
ことを特徴とする付記３に記載の充電回路。
【００４９】
（付記５）
付記１乃至４のいずれか１つに記載の充電回路、を備える、
ことを特徴とする携帯機器。
【符号の説明】
【００５０】
１００            携帯機器
１１０            内部回路
１２０            二次電池
１３０            充電回路
１３１            接続ポート
１３２、１３３    ＤＣ−ＤＣコンバータ
１３４ａ〜ｃ      スイッチ
１３５            電力計
１３６            電圧計
１３７            制御部
１３８            タイマ
１３９            記憶部
１３９ａ          最大供給電力
１３９ｂ          満充電電圧
２００            外部電源
【図１】
0005676333.tif 000002
【図２】
0005676333.tif 000003
【図３】
0005676333.tif 000004
【図４】
0005676333.tif 000005
【図５】
0005676333.tif 000006
【図６】
0005676333.tif 000007
【図７】
0005676333.tif 000008